(57)【要約】【課題】皮張り調整による音質調整が簡単に出来る和太鼓を提供する。【解決手段】和太鼓の皮張り部分において、環状に構成した調節基部体３と、同じく環状に構成した皮張りリング２とを重複して配置し、該調節基部体３と皮張りリング２との間に、皮張調節螺子機構Ａを介装し、太鼓皮１を皮張りリング２の外面に当てて、皮張りリング２の内側にばちによる叩き面を構成し、前記調節基部体３の周囲にて、太鼓皮１の裾部を固定すべく構成した和太鼓の音質調整装置において、調節基部体３の内側に設けた皮張調節螺子機構Ａを、調節雄螺子４と調節雌螺子５により構成し、更に該調節基部体３をパイプ部材により構成し、該パイプ部材の内部に調節雌螺子５を固定し、該調節雌螺子５に螺装した調節雄螺子４を突設して皮張りリング２に接当させた。【選択図】図１
2006215190.tif 000002
【特許請求の範囲】
【請求項１】
和太鼓の皮張り部分において、環状に構成した調節基部体３と、同じく環状に構成した皮張りリング２とを重複して配置し、該調節基部体３と皮張りリング２との間に、皮張調節螺子機構Ａを介装し、太鼓皮１を皮張りリング２の外面に当てて、皮張りリング２の内側にばちによる叩き面を構成し、前記調節基部体３の周囲にて、太鼓皮１の裾部を固定すべく構成した和太鼓の音質調整装置において、調節基部体３の内側に設けた皮張調節螺子機構Ａを、調節雄螺子４と調節雌螺子５により構成し、更に該調節基部体３をパイプ部材により構成し、該パイプ部材の内部に調節雌螺子５を固定し、該調節雌螺子５に螺装した調節雄螺子４を突設して皮張りリング２に接当させたことを特徴とする和太鼓の音質調整装置。
【請求項２】
和太鼓の皮張り部分において、環状に構成した調節基部体３と、同じく環状に構成した皮張りリング２とを重複して配置し、該調節基部体３と皮張りリング２との間に、皮張調節螺子機構Ａを介装し、太鼓皮１を皮張りリング２の外面に当てて、皮張りリング２の内側にばちによる叩き面を構成し、前記調節基部体３の周囲にて、太鼓皮１の裾部を固定すべく構成した和太鼓の音質調整装置において、調節基部体３の内側に設けた皮張調節螺子機構Ａを、調節雄螺子４と調節雌螺子５により構成し、更に該調節基部体３をパイプ部材により構成し、該パイプ部材の内部に調節雌螺子５を固定し、該調節雌螺子５に螺装した調節雄螺子４を突設して、半割パイプ部材により構成した皮張りリング２に接当させたことを特徴とする和太鼓の音質調整装置。
【請求項３】
請求項１及び２に記載した和太鼓の音質調整装置において、調節基部体３と平面太鼓支持体１２との間に、弾性緩衝体Ｄを介装したことを特徴とする和太鼓の音質調整装置。
【発明の詳細な説明】
【技術分野】
【０００１】
本発明は、楽器として演奏される和太鼓の、皮張りにより音質を調整する機構を提供するものである。
【背景技術】
【０００２】
和太鼓は、１本の大木をくり抜いて、乾かした牛の皮を張り付け、張った牛側の表面を、木製のばちで叩いて音を出している。
牛の皮は、まだ新しい張り立ての頃は、皮を強く張っているので、音質としては甲高い音質を出している。しかし、叩き込んで、使い込むうちに、和太鼓の皮は、木製の胴との間に馴染みが良くなり、丁度良い重低音の音質を発するようになるのである。
【特許文献１】特開２００２−４１０３３号公報
【発明の開示】
【発明が解決しようとする課題】
【０００３】
しかし、重低音の良い音は、長続きがせず、初期の皮の張り状態は無くなり、皮が緩み状態となり、ぼてぼての音がするようになるのである。このように緩んだ状態となると、皮固定鋲を抜いて、皮を締め直す必要があるのである。
また、太鼓皮は外気の湿度に微妙に反応し、皮の張りが弱くなったり、強くなったりするのである。
その為に、何時でも、和太鼓の重低音を維持していくということは、なかなか困難なのである。
本発明は、和太鼓の皮張り調整による音質調整が簡単に出来るように、皮張調節螺子機構Ａを具備させたものである。
【課題を解決するための手段】
【０００４】
本発明の解決しようとする課題は以上の如くであり、次に該課題を解決する為の手段を説明する。
請求項１においては、和太鼓の皮張り部分において、環状に構成した調節基部体３と、同じく環状に構成した皮張りリング２とを重複して配置し、該調節基部体３と皮張りリング２との間に、皮張調節螺子機構Ａを介装し、太鼓皮１を皮張りリング２の外面に当てて、皮張りリング２の内側にばちによる叩き面を構成し、前記調節基部体３の周囲にて、太鼓皮１の裾部を固定すべく構成した和太鼓の音質調整装置において、調節基部体３の内側に設けた皮張調節螺子機構Ａを、調節雄螺子４と調節雌螺子５により構成し、更に該調節基部体３をパイプ部材により構成し、該パイプ部材の内部に調節雌螺子５を固定し、該調節雌螺子５に螺装した調節雄螺子４を突設して皮張りリング２に接当させたものである。
【０００５】
請求項２においては、和太鼓の皮張り部分において、環状に構成した調節基部体３と、同じく環状に構成した皮張りリング２とを重複して配置し、該調節基部体３と皮張りリング２との間に、皮張調節螺子機構Ａを介装し、太鼓皮１を皮張りリング２の外面に当てて、皮張りリング２の内側にばちによる叩き面を構成し、前記調節基部体３の周囲にて、太鼓皮１の裾部を固定すべく構成した和太鼓の音質調整装置において、調節基部体３の内側に設けた皮張調節螺子機構Ａを、調節雄螺子４と調節雌螺子５により構成し、更に該調節基部体３をパイプ部材により構成し、該パイプ部材の内部に調節雌螺子５を固定し、該調節雌螺子５に螺装した調節雄螺子４を突設して、半割パイプ部材により構成した皮張りリング２に接当させたものである。
【０００６】
請求項３においては、請求項１及び２に記載した和太鼓の音質調整装置において、調節基部体３と平面太鼓支持体１２との間に、弾性緩衝体Ｄを介装したものである。
【発明の効果】
【０００７】
本発明は以上の如く構成したので、次のような効果を奏するものである。
請求項１の如く、和太鼓の皮張り部分において、環状に構成した調節基部体３と、同じく環状に構成した皮張りリング２とを重複して配置し、該調節基部体３と皮張りリング２との間に、皮張調節螺子機構Ａを介装し、太鼓皮１を皮張りリング２の外面に当てて、皮張りリング２の内側にばちによる叩き面を構成し、前記調節基部体３の周囲にて、太鼓皮１の裾部を固定すべく構成した和太鼓の音質調整装置において、調節基部体３の内側に設けた皮張調節螺子機構Ａを、調節雄螺子４と調節雌螺子５により構成し、更に該調節基部体３をパイプ部材により構成し、該パイプ部材の内部に調節雌螺子５を固定し、該調節雌螺子５に螺装した調節雄螺子４を突設して皮張りリング２に接当させたので、太鼓皮１の張り具合を調節することにより、音質を造り立てのように良好な音質に保つことが出来るのである。
【０００８】
また、スパナにより調節雄螺子４又は調節雌螺子５を回転するだけで簡単に、太鼓皮１の張り具合を調節することができ、調節において高度な治具を必要としないで、簡単に調節出来るようになったのである。
また、調節基部体３はパイプ部材により環状に構成したので、環状に曲げる加工が容易に行えるようになったのである。
【０００９】
請求項２の如く、皮張りリング２をハーフパイプ状に構成したので、皮張りリング２と調節基部体３とを近づけることが可能となり、太鼓皮１の面積を小さくすることができて、低コストで有効な調節機構を構成することが出来たのである。
また、調節雄螺子４の頭部の接当位置が、皮張りリング２を構成するハーフパイプの凹部となるので、位置の設定が確実に行えるようになったのである。
【００１０】
請求項３の如く、調節基部体３と平面太鼓支持体１２との間に、弾性緩衝体Ｄを介装したので、平面太鼓Ｔの音質の向上を図ることが出来たものである。
【発明を実施するための最良の形態】
【００１１】
次に本発明の実施の形態を説明する。
図１は、平面太鼓Ｔに皮張調節螺子機構Ａを装着した状態の断面図、
図２は平面太鼓Ｔの全体を示す側面図、
図３は、平面太鼓Ｔにおける本発明の音質調整装置を示す断面図、
図４は、同じく平面太鼓Ｔの音質調整装置の斜視図、
図５は縦面太鼓Ｓの断面図、
図６は縦面太鼓Ｓの全体図、
図７は、縦面太鼓Ｓにおける本発明の音質調整装置を示す断面図、
図８は、同じく縦面太鼓Ｓの音質調整装置の斜視図である。
【００１２】
図１と図２においては、木製の胴８を具備していない団扇太鼓状の平面太鼓Ｔに、皮張調節螺子機構Ａを装着した状態を図示している。
この場合には、共鳴箱を構成する木製の胴の部分が設けられていないので、和太鼓の音質としては、更に太鼓皮１の張り具合が問題となるのである。
しかし、この場合には、木製の胴８の部分が設けられていないので、平面太鼓支持体１２の部分の下方から、音質調整者１６が入って調節雄螺子４または調節雌螺子５を回転して調整することが出来るのである。
【００１３】
図５と図６においては、団扇和太鼓を縦に配置した縦面太鼓Ｓの構成において、皮張調節螺子機構Ａを配置した実施例が図示されている。
この場合にも、共鳴箱としての木製の胴が付いていないので、太鼓皮１の張り具合が大事であり、皮張調節螺子機構Ａにより自由に張り具合を調節して音質を調整することが音質の向上において効果を発揮するのである。
【００１４】
和太鼓の音質調整装置の構成について説明する。
図３と図４においては、平面太鼓Ｔに設けた和太鼓の音質調整装置の構成を図示している。
太鼓皮１は皮張りリング２の部分で曲げられて、最終的な端部が皮固定リベッター針７により、調節基部体３の外周に固定されている。
そして、該調節基部体３はパイプ部材により構成されており、数箇所に孔が開口されており、該部分に調節雌螺子５が挿入されて溶接にて固定されている。
【００１５】
該調節雌螺子５は調節基部体３に対して溶接固定状態である。該調節雌螺子５に、調節雄螺子４が外側から螺装されている。該調節雄螺子４は調節基部体３と皮張りリング２の内側からスパナにより調節可能としている。
該調節雄螺子４のボルトの頭部が皮張りリング２の調節基部体３側の面に接当すべく配置されている。
該調節雄螺子４をスパナで回転すると、皮張りリング２が押圧されて、結果として太鼓皮１を張ることとなるのである。
調節雄螺子４と調節雌螺子５の中で、調節雄螺子４の方をスパナで回転して皮張りリング２と調節基部体３との間の間隔を調整することにより、リベッター釘１０又は皮固定鋲７により裾部を固定された太鼓皮１が、皮張りリング２の内側で緊張されるのである。
【００１６】
本発明において、内周側アングル面３ｂと皮張りリング２の間に構成される調節雄螺子４と調節雌螺子５の皮張調節螺子機構Ａは、円周上の数箇所に構成しており、全周を均一に調節する必要がある。
図５と図６においては、縦面太鼓Ｓの構成が図示されている。
該縦面太鼓Ｓは、縦面太鼓支持体１４にて支持されている。それ以外の和太鼓の音質調整装置の部分の構成は、平面太鼓Ｔの場合と同様である。
図７と図８の実施例においては、皮張りリング２を構成するパイプ部材が、丸パイプではなくて、半割のハーフパイプに構成されているのである。
このようにハーフパイプ状に構成することにより、調節雄螺子４の頭部が接当する位置が動かさずに済むのである。
【００１７】
また、全周パイプよりもハーフパイプの方が、皮張りリング２と調節基部体３の間隔を近づけることが可能となるのである。これにより、太鼓皮１の面積を狭くすることが出来るので、コストの低下に繋がるのである。
図７と図８の場合にも、調節基部体３の方は、パイプを環状に折り曲げて溶接した構成としている。
【００１８】
また、図１と図２と図３に示す如く、平面太鼓Ｔの音質を向上させる為に、調節基部体３の下方と平面太鼓支持体１２との間には、弾性緩衝体Ｄを介装している。該弾性緩衝体Ｄは、スプリングでも良いし、弾性板やスポンジ等の合成樹脂やゴムの弾性板であっても良いものである。該弾性緩衝体Ｄを介装することにより、平面太鼓Ｔの音質が良くなるのである。
【図面の簡単な説明】
【００１９】
【図１】平面太鼓Ｔに皮張調節螺子機構Ａを装着した状態の断面図。
【図２】平面太鼓Ｔの全体を示す側面図。
【図３】平面太鼓Ｔにおける本発明の音質調整装置を示す断面図。
【図４】同じく平面太鼓Ｔの音質調整装置の斜視図。
【図５】縦面太鼓Ｓの断面図。
【図６】縦面太鼓Ｓの全体図。
【図７】縦面太鼓Ｓにおける本発明の音質調整装置を示す断面図。
【図８】同じく縦面太鼓Ｓの音質調整装置の斜視図である。
【符号の説明】
【００２０】
Ａ  皮張調節螺子機構
Ｔ  平面太鼓
Ｓ  縦面太鼓
１  太鼓皮
２  皮張りリング
３  調節基部体
４  調節雄螺子
５  調節雌螺子
７  皮固定リベッター針
１２  平面太鼓支持体
１４  縦面太鼓支持体
【図１】
2006215190.tif 000003
【図２】
2006215190.tif 000004
【図３】
2006215190.tif 000005
【図４】
2006215190.tif 000006
【図５】
2006215190.tif 000007
【図６】
2006215190.tif 000008
【図７】
2006215190.tif 000009
【図８】
2006215190.tif 000010